(57)【特許請求の範囲】
【請求項１】
ＩＣチップが埋め込まれた金券の入出金処理を行う金券処理装置であって、
金券が入金される入金部と、
該入金部に入金された金券の識別を行う識別部と、
該識別部の識別結果に基づいて金券が再利用可能であるか否かを判断する判断手段と、
該判断手段によって再利用可能であると判断された金券を収納する再利用可能券収納部と、
前記判断手段によって再利用可能でないと判断された金券を収納する再利用不可券収納部と、
出金の指定を受け付ける指定手段と、
該指定手段によって出金の指定を受け付けた場合に前記再利用可能券収納部から金券を繰り出させる出金制御手段と、
前記再利用可能券収納部から繰り出された金券のＩＣチップに新たな識別番号を書き込む書込制御手段と、
該書込制御手段により新たな識別番号がＩＣチップに書き込まれた金券を出金する出金部とを備え、
前記識別部は、金券の画像を撮像するものであり、
前記判断手段は、前記識別部によって撮像された金券の画像に基づいて当該金券が再利用可能であるか否かを判断することになり、
前記識別部によって撮像された画像から金券の天地方向を判別する天地判別手段を備え、
前記判断手段によって再利用可能であると判断された金券に前記天地判別手段の判別結果に基づいて当該金券の再利用状況を識別するための再利用状況情報を印刷する再利用状況情報印刷手段を備えていることを特徴とする金券処理装置。
【請求項２】
未発行の金券を装填する金券装填モードおよび発行済みの金券を収納する金券収納モードの中からいずれか一つのモードが選択設定される入金モード設定手段を備え、
前記判断手段は、前記入金モード設定手段によって金券収納モードが設定された場合に、前記識別部の識別結果に基づいて金券が再利用可能であるか否かを判断することを特徴とする請求項１に記載の金券処理装置。
【請求項３】
ユーザを認証する認証手段を備え、
前記入金モード設定手段は、前記認証手段の認証結果に基づいて選択設定可能なモードを制御することを特徴とする請求項２に記載の金券処理装置。
【請求項４】
前記識別部は、金券のＩＣチップから識別番号を読み込み、
前記判断手段は、前記識別部によって読み込まれた金券の識別番号に基づいて当該金券が再利用可能であるか否かを判断することを特徴とする請求項１乃至３のいずれか一項に記載の金券処理装置。
【請求項５】
前記識別部は、金券のＩＣチップから再利用回数を特定する特定情報を読み込み、
前記判断手段は、前記識別部によって読み込まれた金券の再利用回数を特定する特定情報に基づいて当該金券が再利用可能であるか否かを判断することを特徴とする請求項１乃至４のいずれか一項に記載の金券処理装置。
【請求項６】
前記判断手段によって再利用可能であると判断された金券に、当該金券の再利用状況を識別するための再利用状況情報を印刷する再利用状況情報印刷手段を備えていることを特徴とする請求項１乃至５のいずれか一項に記載の金券処理装置。
【請求項７】
未発行の金券を発行する金券発行モード、発行済み且つ再利用不可な金券を回収する金券回収モードおよび発行済み且つ再利用可能な金券を発行する金券再利用モードの中からいずれか一つのモードが選択設定される出金モード設定手段を備え、
前記書込制御手段は、前記出金モード設定手段によって金券再利用モードが設定された場合に、前記再利用可能券収納部から繰り出された金券のＩＣチップに新たな識別番号を書き込むことを特徴とする請求項１乃至６のいずれか一項に記載の金券処理装置。
【請求項８】
ユーザを認証する認証手段を備え、
前記出金モード設定手段は、前記認証手段の認証結果に基づいて選択設定可能なモードを制御することを特徴とする請求項７に記載の金券処理装置。
【請求項９】
前記書込制御手段によってＩＣチップに新たな識別番号が書き込まれた金券に、当該金券の新たな識別番号と同一の識別番号を印刷する識別番号印刷手段を備えていることを特徴とする請求項１乃至８のいずれか一項に記載の金券処理装置。
【請求項１０】
ＩＣチップが埋め込まれた金券の入出金処理を行う金券処理装置であって、
金券が入金される入金部と、
該入金部に入金された金券の識別を行う識別部と、
該識別部の識別結果に基づいて金券が再利用可能であるか否かを判断する判断手段と、
該判断手段によって再利用可能であると判断された金券を収納する再利用可能券収納部と、
前記判断手段によって再利用可能でないと判断された金券を収納する再利用不可券収納部と、
出金の指定を受け付ける指定手段と、
該指定手段によって出金の指定を受け付けた場合に前記再利用可能券収納部から金券を繰り出させる出金制御手段と、
前記再利用可能券収納部から繰り出された金券のＩＣチップに新たな識別番号を書き込む書込制御手段と、
該書込制御手段により新たな識別番号がＩＣチップに書き込まれた金券を出金する出金部とを備え、
前記識別部は、金券のＩＣチップから識別番号および再利用回数を特定する特定情報を読み込むとともに、金券の画像を撮像するものであり、
前記識別部によって撮像された画像から金券の天地方向を判別する天地判別手段と、
前記識別部によって識別された金券の識別番号と当該金券の前記天地判別手段による天地方向とを関連付けて記憶する記憶手段と、
前記再利用可能券収納部から繰り出された金券のＩＣチップから識別番号および再利用回数を特定する特定情報を読み込む読込手段と、
該読込手段によって読み込まれた識別番号に対応する天地方向を前記記憶手段から読み出すとともに、前記書込制御手段によって金券のＩＣチップに書き込む新たな識別番号と同一の識別番号を、当該金券における前記読み出された天地方向と前記読込手段によって読み込まれた再利用回数とに基づく所定の印刷位置に印刷する識別番号印刷手段を備えていることを特徴とする金券処理装置。
【発明の詳細な説明】
【技術分野】
【０００１】
本発明は、金券処理装置に関し、特にその多機能化に関する。
【背景技術】
【０００２】
デパート等での商品購入の際に貨幣に代えて用いることができる商品券等の金券が従来から使用されている。このような金券を発行する金券発行装置について、装置内部の収納部に金券をセットし、この金券を発行する際に識別番号を読み取って、この識別番号が発行すべきものであるか否かを判定して、発行すべきと判定された金券を発行する技術がある（例えば、特許文献１参照）。
【特許文献１】特許第３６４４２１４号公報
【発明の開示】
【発明が解決しようとする課題】
【０００３】
上述した金券発行装置は、市場に未発行の金券の発行処理のみを行うものであり、発行処理以外の処理を行うことができなかった。
【０００４】
したがって、本発明は、発行処理以外の処理が可能な金券処理装置の提供を目的とする。
【課題を解決するための手段】
【０００５】
上記目的を達成するために、請求項１に係る発明は、ＩＣチップが埋め込まれた金券の入出金処理を行う金券処理装置であって、金券が入金される入金部と、該入金部に入金された金券の識別を行う識別部と、該識別部の識別結果に基づいて金券が再利用可能であるか否かを判断する判断手段と、該判断手段によって再利用可能であると判断された金券を収納する再利用可能券収納部と、前記判断手段によって再利用可能でないと判断された金券を収納する再利用不可券収納部と、出金の指定を受け付ける指定手段と、該指定手段によって出金の指定を受け付けた場合に前記再利用可能券収納部から金券を繰り出させる出金制御手段と、前記再利用可能券収納部から繰り出された金券のＩＣチップに新たな識別番号を書き込む書込制御手段と、該書込制御手段により新たな識別番号がＩＣチップに書き込まれた金券を出金する出金部とを備え、前記識別部は、金券の画像を撮像するものであり、前記判断手段は、前記識別部によって撮像された金券の画像に基づいて当該金券が再利用可能であるか否かを判断することになり、前記識別部によって撮像された画像から金券の天地方向を判別する天地判別手段を備え、前記判断手段によって再利用可能であると判断された金券に前記天地判別手段の判別結果に基づいて当該金券の再利用状況を識別するための再利用状況情報を印刷する再利用状況情報印刷手段を備えていることを特徴としている。
【０００６】
請求項２に係る発明は、請求項１に係る発明において、未発行の金券を装填する金券装填モードおよび発行済みの金券を収納する金券収納モードの中からいずれか一つのモードが選択設定される入金モード設定手段を備え、前記判断手段は、前記入金モード設定手段によって金券収納モードが設定された場合に、前記識別部の識別結果に基づいて金券が再利用可能であるか否かを判断することを特徴としている。
【０００７】
請求項３に係る発明は、請求項２に係る発明において、ユーザを認証する認証手段を備え、前記入金モード設定手段は、前記認証手段の認証結果に基づいて選択設定可能なモードを制御することを特徴としている。
【０００８】
請求項４に係る発明は、請求項１乃至３のいずれか一項に係る発明において、前記識別部は、金券のＩＣチップから識別番号を読み込み、前記判断手段は、前記識別部によって読み込まれた金券の識別番号に基づいて当該金券が再利用可能であるか否かを判断することを特徴としている。
【０００９】
請求項５に係る発明は、請求項１乃至４のいずれか一項に係る発明において、前記識別部は、金券のＩＣチップから再利用回数を特定する特定情報を読み込み、前記判断手段は、前記識別部によって読み込まれた金券の再利用回数を特定する特定情報に基づいて当該金券が再利用可能であるか否かを判断することを特徴としている。
【００１１】
請求項６に係る発明は、請求項１乃至５のいずれか一項に係る発明において、前記判断手段によって再利用可能であると判断された金券に、当該金券の再利用状況を識別するための再利用状況情報を印刷する再利用状況情報印刷手段を備えていることを特徴としている。
【００１３】
請求項７に係る発明は、請求項１乃至６のいずれか一項に係る発明において、未発行の金券を発行する金券発行モード、発行済み且つ再利用不可な金券を回収する金券回収モードおよび発行済み且つ再利用可能な金券を発行する金券再利用モードの中からいずれか一つのモードが選択設定される出金モード設定手段を備え、前記書込制御手段は、前記出金モード設定手段によって金券再利用モードが設定された場合に、前記再利用可能券収納部から繰り出された金券のＩＣチップに新たな識別番号を書き込むことを特徴としている。
【００１４】
請求項８に係る発明は、請求項７に係る発明において、ユーザを認証する認証手段を備え、前記出金モード設定手段は、前記認証手段の認証結果に基づいて選択設定可能なモードを制御することを特徴としている。
【００１５】
請求項９に係る発明は、請求項１乃至８のいずれか一項に係る発明において、前記書込制御手段によってＩＣチップに新たな識別番号が書き込まれた金券に、当該金券の新たな識別番号と同一の識別番号を印刷する識別番号印刷手段を備えていることを特徴としている。
【００１６】
請求項１０に係る発明は、ＩＣチップが埋め込まれた金券の入出金処理を行う金券処理装置であって、金券が入金される入金部と、該入金部に入金された金券の識別を行う識別部と、該識別部の識別結果に基づいて金券が再利用可能であるか否かを判断する判断手段と、該判断手段によって再利用可能であると判断された金券を収納する再利用可能券収納部と、前記判断手段によって再利用可能でないと判断された金券を収納する再利用不可券収納部と、出金の指定を受け付ける指定手段と、該指定手段によって出金の指定を受け付けた場合に前記再利用可能券収納部から金券を繰り出させる出金制御手段と、前記再利用可能券収納部から繰り出された金券のＩＣチップに新たな識別番号を書き込む書込制御手段と、該書込制御手段により新たな識別番号がＩＣチップに書き込まれた金券を出金する出金部とを備え、前記識別部は、金券のＩＣチップから識別番号および再利用回数を特定する特定情報を読み込むとともに、金券の画像を撮像するものであり、前記識別部によって撮像された画像から金券の天地方向を判別する天地判別手段と、前記識別部によって識別された金券の識別番号と当該金券の前記天地判別手段による天地方向とを関連付けて記憶する記憶手段と、前記再利用可能券収納部から繰り出された金券のＩＣチップから識別番号および再利用回数を特定する特定情報を読み込む読込手段と、該読込手段によって読み込まれた識別番号に対応する天地方向を前記記憶手段から読み出すとともに、前記書込制御手段によって金券のＩＣチップに書き込む新たな識別番号と同一の識別番号を、当該金券における前記読み出された天地方向と前記読込手段によって読み込まれた再利用回数とに基づく所定の印刷位置に印刷する識別番号印刷手段を備えていることを特徴としている。
【発明の効果】
【００１７】
請求項１に係る発明によれば、市場に発行済みで市場から回収された金券を入金部に入金すると、識別部が金券を識別し、判断手段がこの識別結果に基づいて金券が再利用可能であるか否かを判断して、再利用可能であると判断された金券を再利用可能券収納部に収納する一方、再利用可能でないと判断された金券を再利用不可券収納部に収納する。また、指定手段によって出金の指定を受け付けた場合に、出金制御手段が再利用可能券収納部から金券を繰り出させることになり、この金券のＩＣチップに書込制御手段が新たな識別番号を書き込んで、出金部に出金する。このように、市場に発行済みで市場から回収された金券を再利用可能な金券とそうでない金券とに分別して収納し、再利用可能な金券については新たな識別番号を付与して出金することで、再利用することができる。
識別部が、金券の画像を撮像することになり、判断手段が、この撮像された金券の画像に基づいて再利用可能であるか否かを判断することになるため、例えば、汚損のある金券を再利用不可とすることによって、新品に近い金券のみを再利用することができる。
識別部によって撮像された画像から天地判別手段が金券の天地方向を判別することになり、判断手段によって再利用可能であると判断された金券に、天地判別手段の判別結果に基づいて、再利用状況情報印刷手段が当該金券の再利用状況を識別するための再利用状況情報を視認可能に印刷するため、再利用状況情報を適正な向きで金券に印刷することができる。
【００１８】
請求項２に係る発明によれば、入金モード設定手段によって、発行済みの金券を収納する金券収納モードが設定された場合に、判断手段が、識別部の識別結果に基づいて金券が再利用可能であるか否かを判断するため、未発行の金券を装填する金券装填モードにおいては、必要のない、金券が再利用可能であるか否かの判断を略すことができる。
【００１９】
請求項３に係る発明によれば、入金モード設定手段が、ユーザを認証する認証手段の認証結果に基づいて選択設定可能なモードを制御するため、ユーザの職位等に応じて使用できるモードを異ならせることができる。
【００２０】
請求項４に係る発明によれば、識別部が、金券のＩＣチップから識別番号を読み込むことになり、判断手段が、この金券の識別番号に基づいて再利用可能であるか否かを判断することになるため、例えば発行元毎に設定される再利用可能であるか否かの情報を識別番号から容易且つ確実に判断することができる。
【００２１】
請求項５に係る発明によれば、識別部が、金券のＩＣチップから再利用回数を特定する特定情報を読み込むことになり、判断手段が、この金券の再利用回数を特定する特定情報に基づいて再利用可能であるか否かを判断することになるため、例えば、再利用回数に制限を設けて制限回数内であれば再利用可能とし、制限回数となれば再利用不可とすることによって、新品に近い金券のみを再利用することができる。
【００２３】
請求項６に係る発明によれば、判断手段によって再利用可能であると判断された金券に対して、再利用状況情報印刷手段が、当該金券の再利用状況を識別するための再利用状況情報を視認可能に印刷するため、再利用されて出金された金券であることを容易に認識することができる。
【００２５】
請求項７に係る発明によれば、出金モード設定手段によって、発行済み且つ再利用可能な金券を発行する金券再利用モードが設定された場合に、書込制御手段が、再利用可能券収納部から繰り出された金券のＩＣチップに新たな識別番号を書き込むため、未発行の金券を発行する金券発行モードおよび発行済み且つ再利用不可な金券を回収する金券回収モードにおいては、必要のない、新たな識別番号の書き込みを略すことができる。
【００２６】
請求項８に係る発明によれば、出金モード設定手段が、ユーザを認証する認証手段の認証結果に基づいて選択設定可能なモードを制御するため、ユーザの職位等に応じて使用できるモードを異ならせることができる。
【００２７】
請求項９に係る発明によれば、書込制御手段によってＩＣチップに新たな識別番号が書き込まれた金券に対して、識別番号印刷手段が、当該金券の新たな識別番号と同一の識別番号を視認可能に印刷するため、再利用されて出金された金券の新たな識別番号を容易に認識することができる。
【００２８】
請求項１０に係る発明によれば、市場に発行済みで市場から回収された金券を入金部に入金すると、識別部が金券を識別し、判断手段がこの識別結果に基づいて金券が再利用可能であるか否かを判断して、再利用可能であると判断された金券を再利用可能券収納部に収納する一方、再利用可能でないと判断された金券を再利用不可券収納部に収納する。また、指定手段によって出金の指定を受け付けた場合に、出金制御手段が再利用可能券収納部から金券を繰り出させることになり、この金券のＩＣチップに書込制御手段が新たな識別番号を書き込んで、出金部に出金する。このように、市場に発行済みで市場から回収された金券を再利用可能な金券とそうでない金券とに分別して収納し、再利用可能な金券については新たな識別番号を付与して出金することで、再利用することができる。
識別部によって撮像された画像から天地判別手段が金券の天地方向を判別するとともに、識別部によって識別された金券の識別番号とこの天地方向とを関連付けて記憶手段に記憶する。出金時に再利用可能券収納部から繰り出された金券のＩＣチップから読込手段が識別番号および再利用回数を特定する特定情報を読み込むと、識別番号印刷手段が、読込手段によって読み込まれた識別番号に対応する天地方向を記憶手段から読み出すとともに、書込制御手段によって金券のＩＣチップに書き込む新たな識別番号と同一の識別番号を、当該金券における読み出された天地方向と読込手段によって読み込まれた再利用回数とに基づく所定の印刷位置に天地方向を合わせて印刷する。よって、新たな識別番号を金券の適正な位置に適正な向きで印刷することができる。
【発明を実施するための最良の形態】
【００２９】
本発明の一実施形態の金券処理装置を図面を参照して以下に説明する。
本実施形態の図１に示す金券処理装置１１は、図２に示すＩＣチップ１を含む読み書き可能なＲＦＩＤタグ２が埋め込まれた複数種類の金券Ｓの入出金処理を行うものである。
【００３０】
ここで、複数種類の金券Ｓとは、例えば、再利用を所定回数まで許可している発行元から発行される複数の金種（額面）の金券Ｓと、再利用を一切許可していない発行元から発行される複数の金種（額面）の金券Ｓである。以下では、金種が１０００円券、５０００円券および１００００円券の３種類であり、金券Ｓの再利用を二回まで許可している発行元Ａ社と、金券Ｓの再利用を一切許可していない発行元Ｂ社の二つの発行元から発行された金券Ｓを取り扱う場合を例にとり説明する。勿論、これは一例でありこの例に限定されるものではない。
【００３１】
金券ＳのＩＣチップ１には、発行元を他と識別するための発行元識別番号（識別番号）、金種（額面）、金券Ｓを他と識別するための金券識別番号および使用状況情報等を含む金券情報が発行元での製造時に記憶されている。また、図２に示す金券Ｓの裏面の所定の表記部３には、金券識別番号（識別番号）４が視認可能に印刷されている。
【００３２】
ここで、金券Ｓの再利用を許可していない発行元Ｂ社から発行される再利用不可な金券Ｓ（再利用不可券）は、使用状況情報のみが書き換え可能とされている。この使用状況情報として、発行元での製造時には、市場に未発行（以下、未発行）であることを示す使用状況識別番号が記憶されており、その後、市場に発行済み（以下、発行済み）且つ使用済み未確定であることを示す使用状況識別番号に書き換えられ、その後、発行済み且つ使用済みであることを示す使用状況識別番号に書き換えられる。
【００３３】
また、金券Ｓの再利用を二回まで許可している発行元Ａ社から発行される再利用可能な金券（再利用可能券）Ｓは、使用状況情報および金券識別番号のみが書き換え可能とされている。この使用状況情報として、発行元での製造時には新品（再利用０回）且つ未発行であることを示す使用状況識別番号が記憶されており、その後、新品且つ発行済み且つ使用済み未確定であることを示す使用状況識別番号に書き換えられ、その後、再利用一回且つ発行済み且つ使用済み未確定であることを示す使用状況識別番号（特定情報）に書き換えられ、その後、再利用二回且つ発行済み且つ使用済み未確定であることを示す使用状況識別番号（特定情報）に書き換えられ、最後に、発行済み且つ使用済みであることを示す使用状況識別番号に書き換えられる。
【００３４】
金券処理装置１１は、ユーザを認証する認証装置（認証手段）１２と、ユーザによってモード設定入力等が行われる操作部（指定手段，入金モード設定手段，出金モード設定手段）１３と、ユーザに操作ガイダンス等を表示する表示部１４とを上面に有している。また、金券処理装置１１の内部には、金券処理装置１１の全体を制御する制御部（判断手段，出金制御手段，書込制御手段，入金モード設定手段，出金モード設定手段，天地判別手段）１５と、各種データを記憶する記憶部１６と、制御部１５の指令に基づいてネットワークを介して金券の各発行元の管理サーバ１７と通信する通信部１８とが設けられている。管理サーバ１７は複数の金券処理装置１１に接続されており、これら金券処理装置１１の情報を一括管理する。
【００３５】
金券処理装置１１は、金券Ｓが表裏取り揃えられた集積状態で投入つまり入金される入金部２１を上部に備えており、入金部２１には、集積状態で投入された金券Ｓを一枚ずつ分離して入金搬送路２２に送り出す入金繰出機構２３が設けられている。入金部２１に投入され入金繰出機構２３を介して装置内に送り込まれた金券Ｓは、入金搬送路２２を介して入金識別部２４に搬送される。
【００３６】
入金識別部２４は、入金部２１に入金され入金搬送路２２で搬送される金券Ｓの識別を行うものである。この入金識別部２４は、例えばＣＣＤカメラ等の画像検出装置２５を一対備えており、通過する金券Ｓの画像データを表裏両側から撮像する。また、入金識別部２４は、ＲＦＩＤリーダ２６を備えており、通過する金券ＳのＲＦＩＤタグ２と通信してそのＩＣチップ１に対して情報の読み取りを行う。
【００３７】
そして、入金識別部２４は、画像検出装置２５によって、搬送中の金券Ｓの画像データを撮像するとともに、ＲＦＩＤリーダ２６によって、搬送中の金券ＳのＩＣチップ１から金券情報を取り込む。すると、制御部１５は、画像検出装置２５で撮像された画像データと、予め設定された受入可能な金券Ｓの金種毎のマスタデータとを比較して、斜行の有無および汚損の有無を判定することになり、これと、ＲＦＩＤリーダ２６によってＩＣチップ１から取り込んだ金券情報とから受入可・不可を判定することになる。
【００３８】
つまり、受入可・不可は、斜行ありの場合と、所定の度合い以上の汚損ありの場合と、画像検出装置２５で撮像された画像データと一致するマスタデータがない場合と、ＲＦＩＤリーダ２６によってＩＣチップ１から金券情報が読みとれない場合と、ＩＣチップ１から読み取った発行元識別番号が取り扱うべき発行元識別番号のマスタデータにない場合と、ＩＣチップ１から読み取った金種と画像検出装置２５で撮像された画像データに基づく金種とが一致しない場合と、ＲＦＩＤリーダ２６によって同時に複数のＩＣチップ１から金券情報が読みとれた場合（重送有りの場合）と、ＩＣチップ１から読み取った使用状況情報が適正でない場合と、のうちの少なくともいずれか一つの条件に合う場合は受入不可とする。これらのいずれの条件にも合致しない場合に受入可と判定する。
【００３９】
入金搬送路２２における入金識別部２４よりも下流側には、入金搬送路２２で識別後の金券Ｓに印刷を行う入金印刷部（使用状況情報印刷手段）２７が設けられている。
【００４０】
金券処理装置１１は、入金時に受入不可と判定した金券Ｓを機外に取り出し可能に排出する入金リジェクト部２８を上部に備えている。制御部１５は、入金識別部２４の識別結果から受入不可と判定した金券Ｓを、入金搬送路２２および入金搬送路２２から分岐する入金リジェクト搬送路２９を介して入金リジェクト部２８に排出する。なお、入金不可の金券Ｓを、着脱可能な入金リジェクトボックスに収納しても良い。
【００４１】
金券処理装置１１は、入金搬送路２２における入金リジェクト搬送路２９よりも下流側から分岐する複数、具体的には１１箇所の分岐搬送路３１ａ〜３１ｎを有しており、これら分岐搬送路３１ａ〜３１ｎの各端末位置および入金搬送路２２の端末位置には、金券Ｓを一時貯留する、底部が開閉可能な一時貯留部３２ａ〜３２ｏがそれぞれ設けられている。これら一時貯留部３２ａ〜３２ｏは、入金識別部２４で受入可と識別された金券Ｓを受け入れる。
【００４２】
つまり、Ａ社用の新品且つ未発行の金券Ｓをそれぞれ金種別に受け入れて一時貯留する、１０００円用の一時貯留部３２ａ、５０００円用の一時貯留部３２ｂおよび１００００円用の一時貯留部３２ｃが設けられており、Ｂ社用の新品且つ未発行の金券Ｓをそれぞれ金種別に受け入れて一時貯留する、１０００円用の一時貯留部３２ｄ、５０００円用の一時貯留部３２ｅおよび１００００円用の一時貯留部３２ｆが設けられている。また、Ａ社用の再利用可能な発行済みの金券Ｓをそれぞれ金種別に受け入れて一時貯留する、１０００円用の一時貯留部３２ｇ、５０００円用の一時貯留部３２ｈおよび１００００円用の一時貯留部３２ｉが設けられており、Ａ社用の使用済み（再利用不可）の金券Ｓをそれぞれ金種別に受け入れて一時貯留する、１０００円用の一時貯留部３２ｊ、５０００円用の一時貯留部３２ｋおよび１００００円用の一時貯留部３２ｌが設けられている。また、Ｂ社用の使用済みの金券Ｓをそれぞれ金種別に受け入れて一時貯留する、１０００円用の一時貯留部３２ｍ、５０００円用の一時貯留部３２ｎおよび１００００円用の一時貯留部３２ｏが設けられている。これら一時貯留部３２ａ〜３２ｏは、機体から引き出し可能な引出ユニット３５に一体に設けられており、一時貯留部３２ａ〜３２ｏに貯留された金券Ｓは、引出ユニット３５が機体から引き出されることで返却可能となっている。
【００４３】
各一時貯留部３２ａ〜３２ｏの下方には、一時貯留部３２ａ〜３２ｏから受け渡された金券Ｓを収納するとともに、収納している金券Ｓを最下のものから出金可能な出金収納部３６ａ〜３６ｏが一対一で設けられている。つまり、出金収納部３６ａ〜３６ｏは、Ａ社用の新品且つ未発行の金券Ｓをそれぞれ金種別に受け入れて収納する出金収納部３６ａ〜３６ｃと、Ｂ社用の新品且つ未発行の金券Ｓをそれぞれ金種別に受け入れて収納する出金収納部３６ｄ〜３６ｆと、Ａ社用の再利用可能な発行済みの金券Ｓをそれぞれ金種別に受け入れて収納する出金収納部（再利用可能券収納部）３６ｇ〜３６ｉと、Ａ社用の使用済みの金券Ｓを含む再利用可能でない金券Ｓをそれぞれ金種別に受け入れて収納する出金収納部（再利用不可券収納部）３６ｊ〜３６ｌと、Ｂ社用の使用済みの再利用可能でない金券Ｓをそれぞれ金種別に受け入れて収納する出金収納部（再利用不可券収納部）３６ｍ〜３６ｏとに分類されている。
【００４４】
なお、未発行の金券Ｓの額面の種類が上記より多い場合、および発行元の数が上記より多い場合には、一時貯留部および出金収納部の数を適宜増やすことで対応可能である。また、使用済みの金券Ｓについては発行元毎に一組ずつ一時貯留部および出金収納部を設けて、これらに金種混在で金券Ｓを受け入れるようにしても良い。さらに、複数の一時貯留部３２ａ〜３２ｏおよび出金収納部３６ａ〜３６ｏへの振り分けを、操作部１３を介してのユーザ設定で可変としても良い。
【００４５】
各出金収納部３６ａ〜３６ｏの下部には、それぞれ、金券Ｓを一枚ずつ分離して計数しつつ繰り出す出金繰出機構４０が設けられている。そして、出金収納部３６ｏの出金繰出機構４０は出金搬送路４１に、出金収納部３６ｎの出金繰出機構４０は繰出搬送路４２ｎに、出金収納部３６ｍの出金繰出機構４０は繰出搬送路４２ｍに、それぞれ金券Ｓを繰り出す。また、出金収納部３６ｌの出金繰出機構４０は繰出搬送路４２ｌに、出金収納部３６ｋの出金繰出機構４０は繰出搬送路４２ｋに、出金収納部３６ｊの出金繰出機構４０は繰出搬送路４２ｊに、それぞれ金券Ｓを繰り出す。また、出金収納部３６ｉの出金繰出機構４０は繰出搬送路４２ｉに、出金収納部３６ｈの出金繰出機構４０は繰出搬送路４２ｈに、出金収納部３６ｇの出金繰出機構４０は繰出搬送路４２ｇに、それぞれ金券Ｓを繰り出す。また、出金収納部３６ｆの出金繰出機構４０は繰出搬送路４２ｆに、出金収納部３６ｅの出金繰出機構４０は繰出搬送路４２ｅに、出金収納部３６ｄの出金繰出機構４０は繰出搬送路４２ｄに、それぞれ金券Ｓを繰り出す。また、出金収納部３６ｃの出金繰出機構４０は繰出搬送路４２ｃに、出金収納部３６ｂの出金繰出機構４０は繰出搬送路４２ｂに、出金収納部３６ａの出金繰出機構４０は繰出搬送路４２ａに、それぞれ金券Ｓを繰り出す。これら繰出搬送路４２ａ〜４２ｎは、出金搬送路４１に合流している。
【００４６】
出金搬送路４１には、すべての繰出搬送路４２ａ〜４２ｎの合流位置よりも下流側に、出金搬送路４１により搬送中の金券Ｓ、つまり出金収納部３６ａ〜３６ｏが出金した金券Ｓの識別を行う出金識別部４４が設けられている。この出金識別部４４は、例えばＣＣＤカメラ等の画像検出装置４５を一対備えており、搬送中の金券Ｓの表裏両側の画像データを撮像する。また、出金識別部４４は、ＲＦＩＤリーダライタ（書込制御手段，読込手段）４６を備えており、通過する金券ＳのＲＦＩＤタグ２と通信してそのＩＣチップ１に対して情報の読み取りおよび書き込みを行う。
【００４７】
そして、出金識別部４４は、画像検出装置４５によって、搬送中の金券Ｓの画像データを撮像するとともに、ＲＦＩＤリーダライタ４６によって、搬送中の金券ＳのＩＣチップ１から金券情報を取り込む。すると、制御部１５は、画像検出装置４５で撮像された画像データと、予め設定された受入可能な金券Ｓの金種毎のマスタデータとを比較して、斜行の有無、汚損の有無および金種を判定することになり、これと、ＲＦＩＤリーダライタ４６によってＩＣチップ１から取り込んだ金券情報とから出金可・不可を判定することになる。
【００４８】
つまり、出金可・不可は、斜行ありの場合と、汚損ありの場合と、画像検出装置４５で撮像された画像データと一致するマスタデータがない場合と、ＲＦＩＤリーダライタ４６によってＩＣチップ１から金券情報が読みとれない場合と、ＩＣチップ１から読み取った発行元識別番号が取り扱うべき発行元識別番号のマスタデータにない場合と、ＩＣチップ１から読み取った金種と画像検出装置４５で撮像された画像データに基づく金種とが一致しない場合と、ＲＦＩＤリーダライタ４６によって同時に複数のＩＣチップ１から金券情報が読みとれた場合（重送有りの場合）と、ＩＣチップ１から読み取った使用状況情報が適正でない場合と、のうちの少なくともいずれか一つの条件に合う場合は出金不可とする。これらのいずれの条件にも合致しない場合に出金可と判定する。
【００４９】
出金搬送路４１における出金識別部４４よりも下流側には、出金識別部４４による識別後の金券Ｓに印刷を行う出金印刷部（識別番号印刷手段）４９が設けられている。
【００５０】
出金搬送路４１における出金印刷部４９よりも下流側には、出金搬送路４１から分岐する出金リジェクト搬送路４７と、出金リジェクト搬送路４７に送られた金券Ｓを収納する出金リジェクト庫４８とが設けられている。この出金リジェクト庫４８は、機体に対し着脱可能となっている。制御部１５は、出金識別部４４の識別結果から出金不可と判定した金券Ｓを、出金搬送路４１および出金リジェクト搬送路４７を介して出金リジェクト庫４８に収納する。
【００５１】
金券処理装置１１は、出金する金券Ｓを機外に取り出し可能に排出する出金部５０を上部に備えており、制御部１５は、出金識別部４４の識別結果から出金可と判定した金券Ｓを、出金搬送路４１を介して出金部５０に排出する。
【００５２】
認証装置１２は、具体的には、ユーザ毎に発行されるＩＤカードに記憶されたユーザ識別番号を読み取るカードリーダである。ここで、ユーザ識別番号は、上位の「マスタユーザ」と、下位の「制限ユーザ」と、それ以外の「非ユーザ」との三段階のユーザレベルに分類されることになり、記憶部１６には、予めユーザ識別番号毎にユーザレベルが関連付けされて記憶されている。
【００５３】
制御部１５は、金券処理装置１１の使用開始にあたって表示部１４に認証装置１２への認証操作を促す表示を行わせる。この表示を見てユーザが認証装置１２にＩＤカードを走査させると、認証装置１２によってユーザ識別番号を読み取らせることになり、このユーザ識別番号を記憶部１６に記憶されたデータと比較する。そして、このユーザ識別番号が記憶部１６に記憶されていなければ非ユーザであると判定する一方、このユーザ識別番号が記憶部１６に記憶されていれば、このユーザ識別番号に関連付けされているユーザレベルがマスタユーザである場合にはマスタユーザであると判定し、このユーザ識別番号に関連付けされているユーザレベルが制限ユーザである場合、制限ユーザであると判定する。そして、制御部１５は、認証装置１２の認証結果に基づいて、以後の制御を変更する。なお、認証装置１２としては、ユーザの静脈の形を検出する静脈認証装置等の生体認証装置を用いることも可能である。
【００５４】
操作部１３には、未発行の金券Ｓを装填する金券装填モードおよび発行済みの金券Ｓを収納する金券収納モードの二種類の入金モードと、未発行の金券Ｓを発行する金券発行モード、発行済み且つ再利用不可な金券Ｓを回収する金券回収モードおよび発行済み且つ再利用可能な金券Ｓを発行する金券再利用モードの三種類の出金モードとの中からいずれか一つのモードを選択設定する操作がユーザによって入力可能となっている。
【００５５】
制御部１５は、上記した認証装置１２による認証結果に基づいて選択設定可能なモードを制御する。つまり、制御部１５は、認証装置１２による認証結果からユーザ識別番号がマスタユーザであると判定した場合、金券装填モード、金券収納モード、金券発行モード、金券回収モードおよび金券再利用モードのいずれも選択設定可能として、これら五種類のモードから選択を行うように表示部１４に表示を行わせる。また、制御部１５は、認証装置１２による認証結果からユーザ識別番号が制限ユーザであると判定した場合、金券収納モードおよび金券回収モードの二種類のモードのみ選択可能として、これら二種類のモードから選択を行うように表示部１４に表示を行わせる。さらに、制御部１５は、ユーザ識別番号が非ユーザであると判定した場合、いずれのモードも選択不可とし、正しい認証操作を促す表示を表示部１４に表示させる。つまり、操作部１３および制御部１５は、認証装置１２の認証結果に基づいて選択設定可能なモードを制御する。以下、選択設定された各モード別に説明する。
【００５６】
「金券装填モード」
金券装填モードが選択設定された場合、制御部１５は、未発行の金券Ｓの入金部２１への投入を促す表示を表示部１４に表示させる。これを見てユーザが入金部２１に未発行の金券Ｓを投入すると、入金部２１に設けられた図示略の検知センサが金券Ｓを検知することになり、この検知を確認すると、制御部１５は、スタート操作を促す表示を表示部１４に表示させる。
【００５７】
これを見てユーザが操作部１３にスタート操作を行う。操作部１３にスタート操作が入力されると、制御部１５は、入金繰出機構２３および入金搬送路２２を駆動する。すると、入金部２１に投入された金券Ｓを入金繰出機構２３が一枚ずつ繰り出し、入金搬送路２２が搬送する。入金搬送路２２による搬送中に金券Ｓを入金識別部２４で識別する。つまり、ＲＦＩＤリーダ２６によって、ＩＣチップ１から発行元識別番号、金種（額面）、金券識別番号および使用状況情報を含む金券情報を読み取るとともに、画像検出装置２５で撮像する。この入金識別部２４の識別結果から、制御部１５は、ＩＣチップ１に新品且つ未発行であることを示す使用状況識別番号が記憶されている金券以外の金券を含む受入不可と判定した金券Ｓを、入金搬送路２２および入金搬送路２２から分岐する入金リジェクト搬送路２９を介して入金リジェクト部２８に排出する。
【００５８】
他方、制御部１５は、入金識別部２４によって、ＩＣチップ１に新品且つ未発行であることを示す使用状況識別番号が記憶されていると識別され、受入可と識別された金券Ｓについて、対応する金種の計数値を加算するとともに、金種および金券識別番号を記憶部１６に記憶する。そして、金券Ｓを一時貯留部３２ａ〜３２ｏの対応する金種のものに送り込み一時貯留させる。つまり、新品且つ未発行のＡ社の額面１０００円の金券Ｓを一時貯留部３２ａに、新品且つ未発行のＡ社の額面５０００円の金券Ｓを一時貯留部３２ｂに、新品且つ未発行のＡ社の額面１００００円の金券Ｓを一時貯留部３２ｃに、新品且つ未発行のＢ社の額面１０００円の金券Ｓを一時貯留部３２ｄに、新品且つ未発行のＢ社の額面５０００円の金券Ｓを一時貯留部３２ｅに、新品且つ未発行のＢ社の額面１００００円の金券Ｓを一時貯留部３２ｆに送り込む。
【００５９】
そして、入金部２１に投入されたすべての金券Ｓが一時貯留部３２ａ〜３２ｆあるいは入金リジェクト部２８に送られると、制御部１５は、今回の処理に対する入金識別部２４の識別結果（金券の金種別の計数値）を表示部１４に表示させるとともに、承認操作またはキャンセル操作の入力を促す表示を表示部１４に表示させる。
【００６０】
操作部１３にキャンセル操作が入力されると、制御部１５は、引出ユニット３５のロックを解除するとともに、今回の金券装填モードで記憶部１６に記憶したデータを消去する。ユーザは引出ユニット３５を引き出して一時貯留部３２ａ〜３２ｆから金券Ｓを取り出す。なお、このように入金キャンセルで入金が取り出された金券Ｓは、ＩＣチップ１に新品且つ未発行であることを示す使用状況識別番号が記憶されていることから、金券装填モードで再入金された場合に、受入可と判断される。
【００６１】
他方、操作部１３に承認操作が入力されると、制御部１５は、金券装填モードによる今回の処理を他の処理と識別する、モードの識別も含む処理識別番号と、すでに記憶部１６に記憶されている、今回の処理で受入可と判定したすべての金券Ｓの金種および金券識別番号と、今回の処理で識別したユーザ識別番号と、今回の処理で受入可と判定したすべての金券Ｓの金種別の計数値とを関連付けして入金情報として記憶部１６に記憶する。それとともに、すべての一時貯留部３２ａ〜３２ｆの金券Ｓを、それぞれ一対一で対応する出金収納部３６ａ〜３６ｆに収納する。つまり、新品且つ未発行のＡ社の額面１０００円の金券Ｓを出金収納部３６ａに、新品且つ未発行のＡ社の額面５０００円の金券Ｓを出金収納部３６ｂに、新品且つ未発行のＡ社の額面１００００円の金券Ｓを出金収納部３６ｃに、新品且つ未発行のＢ社の額面１０００円の金券Ｓを出金収納部３６ｄに、新品且つ未発行のＢ社の額面５０００円の金券Ｓを出金収納部３６ｅに、新品且つ未発行のＢ社の額面１００００円の金券Ｓを出金収納部３６ｆに収納する。
【００６２】
制御部１５は、記憶部１６に記憶した入金情報を通信部１８を用いて発行元の管理サーバ１７に、金券処理装置１１の個別の装置識別番号と関連付けして送信することになり、この管理サーバ１７において、送信された入金情報を一括して管理する。例えば、管理サーバ１７では、金券識別番号が適正であるか否かの照合を行う。つまり、管理サーバ１７には発行元から発行された全ての金券識別番号がマスタデータとして記憶されているため、管理サーバ１７は、金券処理装置１１から送られた金券識別番号について、マスタデータの金券識別番号の中に一致するものがあるか否かを照合する。マスタデータの金券識別番号の中に一致するものがある場合、管理サーバ１７は、金券処理装置１１から送られた金券識別番号が適正であるとしてこの金券識別番号を金券処理装置１１の装置識別番号と関連付けして記憶する。金券処理装置１１から送られた金券識別番号に対して、マスタデータの金券識別番号の中に一致するものがない場合、管理サーバ１７は、金券処理装置１１から送られた金券識別番号が適正でないとしてアラームを発生させる。
【００６３】
「金券発行モード」
金券発行モードが選択設定された場合、制御部１５は、希望の発行元と額面毎の発行枚数の入力を促す表示を表示部１４に表示させる。これを見てユーザが操作部１３に、希望の発行元と額面毎の発行枚数を入力する。すると、制御部１５は、スタート操作を促す表示を表示部１４に表示させる。これを見てユーザが操作部１３にスタート操作を行う。
【００６４】
操作部１３にスタート操作が入力されると、発行元Ａ社が選択された場合、制御部１５は、出金収納部３６ａ〜３６ｃのうちの対応するものの出金繰出機構４０と、繰出搬送路４２ａ〜４２ｃのうちの対応するものと、出金搬送路４１とを駆動する。すると、出金収納部３６ａ〜３６ｃのうちの駆動された出金繰出機構４０が金券Ｓを一枚ずつ繰り出し、出金搬送路４１が搬送する。出金搬送路４１により搬送中の金券Ｓに対して、出金識別部４４のＲＦＩＤリーダライタ４６によってＩＣチップ１から金券情報を読み取るとともに、画像検出装置４５で画像データを読み込んで識別する。この出金識別部４４の識別結果から、制御部１５は、新品且つ未発行を示す使用状況識別番号が記憶されている金券Ｓ、以外の金券Ｓを含む出金不可と判定した金券Ｓを、出金搬送路４１および出金搬送路４１から分岐する出金リジェクト搬送路４７を介して出金リジェクト庫４８に収納する。このとき、金券発行モードで出金するのが適正である金券装填モードで入金された金券Ｓ、以外の金券Ｓも出金不可として出金リジェクト庫４８に収納する。
【００６５】
また、発行元Ｂ社が選択された場合、制御部１５は、出金収納部３６ｄ〜３６ｆのうちの対応するものの出金繰出機構４０と、繰出搬送路４２ｄ〜４２ｆのうちの対応するものと、出金搬送路４１とを駆動する。すると、出金収納部３６ｄ〜３６ｆのうちの駆動された出金繰出機構４０が金券Ｓを一枚ずつ繰り出し、出金搬送路４１が搬送する。出金搬送路４１による搬送中の金券Ｓに対して、出金識別部４４のＲＦＩＤリーダライタ４６によってＩＣチップ１から金券情報を読み取るとともに、画像検出装置４５で画像データを読み込んで識別する。この出金識別部４４の識別結果から、制御部１５は、新品且つ未発行を示す使用状況識別番号が記憶されている金券Ｓ、以外の金券Ｓを含む出金不可と判定した金券Ｓを、出金搬送路４１および出金搬送路４１から分岐する出金リジェクト搬送路４７を介して出金リジェクト庫４８に収納する。このとき、金券発行モードで出金するのが適正である金券装填モードで入金された金券Ｓ、以外の金券Ｓも出金不可として出金リジェクト庫４８に収納する。
【００６６】
また、制御部１５は、出金識別部４４で出金可と識別された金券Ｓについて、ＲＦＩＤリーダライタ４６によって、ＩＣチップ１に、新品且つ未発行を示す使用状況識別番号にかえて、新品且つ発行済み且つ使用済み未確定を示す使用状況識別番号を記憶し、対応する金種の計数値を加算し、金種および金券識別番号を記憶部１６に記憶するとともに、金券Ｓを出金部５０に送り出す。
【００６７】
制御部１５は、上記を繰り返して金券Ｓを出金収納部３６ａ〜３６ｃまたは出金収納部３６ｄ〜３６ｆから発行枚数分だけ出金部５０に出金させる。
【００６８】
そして、制御部１５は、入力された額面毎の発行枚数を出金部５０に繰り出させると、繰り出しを終了して、金券発行モードによる今回の処理を他の処理と識別する、モードの識別も含む処理識別番号と、今回の処理で識別したユーザ識別番号と、今回の金券発行モードによって出金部５０に出金されたすべての金券Ｓの金券識別番号と、今回の処理で出金部５０に出金されたすべての金券Ｓの金種別の計数値とを、関連付けして出金情報として記憶部１６に記憶する。
【００６９】
制御部１５は、記憶部１６に記憶した出金情報を通信部１８を用いて発行元の管理サーバ１７に、金券処理装置１１の個別の装置識別番号と関連付けして送信することになり、この管理サーバ１７において、送信された情報を管理する。まず、金券装填モードと同様に、金券識別番号が適正であるか否かの照合を行う。マスタデータの金券識別番号と一致するものがある場合、管理サーバ１７は、金券処理装置１１から送られた金券識別番号が適正であると判定してこの金券識別番号を市場に発行された旨と関連付けして記憶する一方、一致するものがない場合、管理サーバ１７は、金券処理装置１１から送られた金券識別番号が適正でないと判定してアラームを発生させる。なお、管理サーバ１７はネットワークを介して複数の金券処理装置１１に接続されているため、複数の金券処理装置１１は管理サーバ１７に記憶された上記情報を共有することになり、この共有情報によって、一の金券処理装置１１によって市場に発行された発行済みの金券Ｓの金券識別番号を他の金券処理装置１１に収納する際であっても、市場に発行されたものか否か照合可能となる。
【００７０】
「金券収納モード」
金券収納モードが選択設定された場合、制御部１５は、発行済みの金券Ｓの入金部２１への投入を促す表示を表示部１４に表示させる。これを見てユーザが入金部２１に発行済みの金券Ｓを投入すると、入金部２１に設けられた図示略の検知センサが金券Ｓを検知することになり、この検知を確認すると、制御部１５は、スタート操作を促す表示を表示部１４に表示させる。これを見てユーザが操作部１３にスタート操作を行う。操作部１３にスタート操作が入力されると、制御部１５は、入金繰出機構２３および入金搬送路２２を駆動する。すると、入金部２１に投入された金券Ｓを入金繰出機構２３が一枚ずつ繰り出し、入金搬送路２２が搬送する。入金搬送路２２による搬送中に金券Ｓを入金識別部２４で識別する。つまり、ＲＦＩＤリーダ２６によって、ＩＣチップ１から発行元識別番号、金種（額面）、金券識別番号および使用状況情報を含む金券情報を読み取るとともに、画像検出装置２５で撮像する。この入金識別部２４の識別結果から、制御部１５は、ＩＣチップ１に、発行済み且つ使用済み未確定を示す使用状況識別番号が記憶されている金券Ｓ、以外の金券Ｓを含む受入不可と判定した金券Ｓを、入金搬送路２２および入金搬送路２２から分岐する入金リジェクト搬送路２９を介して入金リジェクト部２８に排出する。
【００７１】
他方、制御部１５は、入金識別部２４によって、ＩＣチップ１に、金券収納モードで入金するのが適正である発行済み且つ使用済み未確定を示す使用状況識別番号が記憶されていると識別され、受入可と識別された金券Ｓについて、対応する金種の計数値を加算するとともに、金種および金券識別番号を記憶部１６に記憶する。
【００７２】
そして、発行元識別番号から割り出される発行元がＡ社であり、使用状況識別番号から割り出される使用状況情報が新品且つ発行済み且つ使用済み未確定であって、金種から割り出される額面が１０００円であって、画像検出装置２５の撮像結果から割り出される汚損度が所定度合い以下である金券Ｓと、Ａ社の再利用一回且つ発行済み且つ使用済み未確定の額面１０００円の汚損度が所定度合い以下の金券Ｓとを一時貯留部３２ｇに送り込む。また、Ａ社の新品且つ発行済み且つ使用済み未確定の額面５０００円の汚損度が所定度合い以下の金券Ｓと、Ａ社の再利用一回且つ発行済み且つ使用済み未確定の額面５０００円の汚損度が所定度合い以下の金券Ｓとを一時貯留部３２ｈに送り込む。また、Ａ社の新品且つ発行済み且つ使用済み未確定の額面１００００円の汚損度が所定度合い以下の金券Ｓと、Ａ社の再利用一回且つ発行済み且つ使用済み未確定の額面１００００円の汚損度が所定度合い以下の金券Ｓとを一時貯留部３２ｉに送り込む。つまり、入金識別部２４の識別結果に基づいて制御部１５が、再利用を許可した発行元Ａ社の金券であって、再利用回数が次の出金時に、規制された三回とならない一回以下の金券で、汚損度が再利用可能な度合い以下となっている金券Ｓを、再利用可能であると判断して、再利用可能金券用の一時貯留部３２ｇ〜３２ｉに送り込む。
【００７３】
このとき、制御部１５は、再利用可能であると判断した上記した金券Ｓ、つまり図２に示すように裏面の表記部３に一つの金券識別番号４のみが印刷されていた金券Ｓに対して、図３（ａ）に示すように、入金印刷部２７によって、再利用可能券であることを示す例えば「○」からなる再利用マーク（再利用状況情報）５を、金券識別番号４に対応する位置に目視可能に印刷する。つまり、この再利用マーク５が印刷されていない金券Ｓが市場にあれば、それは再利用されたものではない新品の金券Ｓであると識別でき、この再利用マーク５が印刷された金券Ｓが市場にあれば、それは、この金券収納モードで金券処理装置１１に収納された金券Ｓであると識別できる。
【００７４】
なお、このとき、制御部１５は、入金識別部２４の画像検出装置２５によって撮像された画像から金券Ｓの天地方向を判別して、入金識別部２４のＲＦＩＤリーダ２６で検出された当該金券Ｓの金券識別番号と関連付けて記憶部１６に記憶する。そして、この判別結果に基づいて再利用マーク５を裏面の所定の表記部３内の所定の印刷位置に印刷する。表記部３内の印刷位置は、再利用の回数に応じた位置に設定される。
【００７５】
例えば、新品つまり再利用０回且つ発行済みの金券Ｓの裏面には、図２に示すように、表記部３の上段位置に一つの金券識別番号４が視認可能に印刷されており、再利用マーク５は印刷されていない。このような金券Ｓについては、金券識別番号と対応していることが明確な例えば右側に隣り合う所定位置（再利用０回に応じた位置）に再利用マーク５である「○」を図３（ａ）に示すように印刷する。また、再利用一回且つ発行済みの金券Ｓの裏面には、図３（ｂ）に示すように、表記部３の上段および中段位置に二つの金券識別番号４が視認可能に印刷されており、そのうちの一つである上側の金券識別番号には対応する位置にすでに再利用マーク５である「○」が印刷されている。このような金券Ｓについては、再利用マーク５が印刷されていない中段の金券識別番号４と対応していることが明確な例えば右側に隣り合う位置（再利用一回に応じた位置）に再利用マーク５である「○」を図３（ｃ）に示すように印刷する。
【００７６】
また、Ａ社の新品且つ発行済み且つ使用済み未確定の額面１０００円の汚損度が所定度合いを超える金券Ｓと、Ａ社の再利用一回且つ発行済み且つ使用済み未確定の額面１０００円の汚損度が所定度合いを超える金券Ｓと、Ａ社の再利用二回且つ発行済み且つ使用済み未確定の額面１０００円の金券Ｓとを一時貯留部３２ｊに送り込む。また、Ａ社の新品且つ発行済み且つ使用済み未確定の額面５０００円の汚損度が所定度合いを超える金券Ｓと、Ａ社の再利用一回且つ発行済み且つ使用済み未確定の額面５０００円の汚損度が所定度合いを超える金券Ｓと、Ａ社の再利用二回且つ発行済み且つ使用済み未確定の額面５０００円の金券Ｓとを一時貯留部３２ｋに送り込む。また、Ａ社の新品且つ発行済み且つ使用済み未確定の額面１００００円の汚損度が所定度合いを超える金券Ｓと、Ａ社の再利用一回且つ発行済み且つ使用済み未確定の額面１００００円の汚損度が所定度合いを超える金券Ｓと、Ａ社の再利用二回且つ発行済み且つ使用済み未確定の額面１００００円の金券Ｓとを一時貯留部３２ｌに送り込む。つまり、入金識別部２４の識別結果に基づいて制御部１５が、再利用を許可した発行元Ａ社の金券Ｓであって、再利用回数が次の出金時に規制された三回となる二回の金券Ｓと、再利用回数が一回以下であっても汚損度が再利用可能な度合いを超えている金券Ｓとを、再利用不可であると判断して、再利用不可金券用の一時貯留部３２ｊ〜３２ｌに送り込む。
【００７７】
このとき、一時貯留部３２ｊ〜３２ｌに送り込む金券Ｓについて、制御部１５は、汚損度によって再利用不可と判断されたものには、画像検出装置２５の画像データによる天地方向の判別に基づく所定位置に、入金印刷部２７によって図示略の汚損マークを印刷する。これにより、汚損度に起因して再利用不可と判断されたものであることを視認可能となる。また、再利用回数がすでに二回となっていて再利用不可と判断された金券Ｓについては、図３（ｄ）に示すように、その裏面の表記部３の上段、中段および下段に三つの金券識別番号４が視認可能に印刷されており、そのうちの上段および中段の二つの金券識別番号４にそれぞれ対応してすでに再利用マーク５である「○」が印刷されている（後述する）。このような金券Ｓについては、画像検出装置２５の画像データによる天地方向の判別に基づいて、再利用マーク５が印刷されていない表記部３の下段の金券識別番号４と対応して隣り合う位置に再利用マーク５である「○」を印刷する。その結果、再利用回数と同数の「○」が印刷されていることになり、これにより制限回数となったため再利用不可と判断された金券Ｓであることを視認可能となる。あるいは、これに代えて、使用済みであることを示す使用済みマークを印刷しても良い。
【００７８】
さらに、Ｂ社の新品且つ発行済み且つ使用済み未確定の額面１０００円の金券Ｓを一時貯留部３２ｍに、Ｂ社の新品且つ発行済み且つ使用済み未確定の額面５０００円の金券Ｓを一時貯留部３２ｎに、Ｂ社の新品且つ発行済み且つ使用済み未確定の額面１００００円の金券Ｓを一時貯留部３２ｏに、それぞれ送り込む。つまり、入金識別部２４の識別結果に基づいて制御部１５が、再利用を許可していない発行元Ｂ社の金券Ｓで発行済みの金券Ｓを、再利用不可であると判断して、再利用不可金券用の一時貯留部３２ｍ〜３２ｏに送り込む。このとき、制御部１５は、画像検出装置２５の画像データによる天地方向の判別に基づいて、一時貯留部３２ｍ〜３２ｏに送り込む金券Ｓの裏面の所定の表記位置に、入金印刷部２７によって図示略の使用済みマークを印刷する。
【００７９】
そして、入金部２１に投入されたすべての金券Ｓが一時貯留部３２ｇ〜３２ｏあるいは入金リジェクト部２８に送られると、制御部１５は、今回の処理に対する入金識別部２４の識別結果（金種別の計数値）を表示部１４に表示させるとともに、承認操作またはキャンセル操作の入力を促す表示を表示部１４に表示させる。操作部１３にキャンセル操作が入力されると、制御部１５は、引出ユニット３５のロックを解除するとともに、今回の金券収納モードで記憶部１６に記憶したデータを消去する。ユーザは引出ユニット３５を引き出して一時貯留部３２ｇ〜３２ｏから金券Ｓを取り出す。
【００８０】
他方、操作部１３に承認操作が入力されると、制御部１５は、今回の金券収納モードによる処理を他の処理と識別する、モードの識別も含む処理識別番号と、すでに記憶部１６に記憶されている、今回の処理で受入可と判定したすべての金券Ｓの金種および金券識別番号と、今回の処理で識別したユーザ識別番号と、今回の処理で受入可と判定したすべての金券Ｓの金種別の計数値とを関連付けして入金情報として記憶部１６に記憶する。それとともに、一時貯留部３２ｇ〜３２ｏの金券Ｓを対応する出金収納部３６ｇ〜３６ｏに収納する。
【００８１】
制御部１５は、記憶部１６に記憶した入金情報を通信部１８を用いて発行元の管理サーバ１７に、金券処理装置１１の個別の装置識別番号と関連付けして送信することになり、この管理サーバ１７において、送信された入金情報を上記した金券装填モードと同様に管理する。
【００８２】
以上により、制御部１５は、操作部１３によって金券収納モードが設定された場合に、入金識別部２４の識別結果に基づいて金券Ｓが再利用可能であるか否かを判断することになる。また、制御部１５は、入金識別部２４によって読み込まれた金券Ｓの発行元識別番号に基づいて当該金券Ｓが再利用可能であるか否かを判断することになる。また、制御部１５は、入金識別部２４によって読み込まれた金券Ｓの再利用回数を特定する使用状況識別番号に基づいて当該金券Ｓが再利用可能であるか否かを判断する。また、制御部１５は、入金識別部２４によって撮像された金券Ｓの画像に基づく汚損度によって当該金券Ｓが再利用可能であるか否かを判断する。
【００８３】
「金券再利用モード」
金券再利用モードが選択設定された場合、制御部１５は、額面毎の発行枚数の入力を促す表示を表示部１４に表示させる。これを見てユーザが操作部１３に、額面毎の発行枚数を入力する。すると、制御部１５は、出金の指定を受け付けるスタート操作を促す表示を表示部１４に表示させる。これを見てユーザが操作部１３に、スタート操作を行う。
【００８４】
操作部１３にスタート操作が入力されると、制御部１５は、すでに少なくとも一回発行済みの再利用可能券が収納された出金収納部３６ｇ〜３６ｉのうちの対応するものの出金繰出機構４０と、繰出搬送路４２ｇ〜４２ｉのうちの対応するものと、出金搬送路４１とを駆動する。すると、出金収納部３６ｇ〜３６ｉのうちの駆動された出金繰出機構４０が金券Ｓを一枚ずつ繰り出し、出金搬送路４１が搬送する。出金搬送路４１による搬送中の金券Ｓに対して、出金識別部４４のＲＦＩＤリーダライタ４６によってＩＣチップ１から、金券識別番号および使用状況識別番号を含む金券情報を読み取るとともに、画像検出装置４５によって画像を読み取って識別する。この出金識別部４４の識別結果から、制御部１５は、出金不可と判定した金券Ｓを、出金搬送路４１および出金搬送路４１から分岐する出金リジェクト搬送路４７を介して出金リジェクト庫４８に収納する。このとき、金券再利用モードで出金するのが適正である金券収納モードで入金された金券Ｓ、以外の金券Ｓも出金不可として出金リジェクト庫４８に収納する。
【００８５】
また、制御部１５は、出金識別部４４で出金可と識別された金券Ｓについて、ＲＦＩＤリーダライタ４６によって、ＩＣチップ１に、それまで記憶されていた金券識別番号にかえて新たな金券識別番号を記憶するとともに、新品（再利用０回）且つ発行済み且つ使用済み未確定を示す使用状況識別番号が記憶されていた場合には、これにかえて、再利用一回且つ発行済み且つ使用済み未確定を示す使用状況識別番号を更新記憶し、また、再利用一回且つ発行済み且つ使用済み未確定を示す使用状況識別番号が記憶されていた場合には、これにかえて、再利用二回且つ発行済み且つ使用済み未確定を示す使用状況識別番号を更新記憶する。そして、対応する金種の計数値を加算し、金種および金券識別番号を記憶部１６に記憶する。なお、制御部１５は、新たな金券識別番号をＩＣチップ１に記憶する際に、記憶部１６に記憶していた金種識別番号と天地方向との関連データに対しても、金種識別番号を新たな金種識別番号に更新する。また、制御部１５は、発行元の管理サーバ１７と予め通信することで、新たな金種識別番号として使用可能に割り当てられた金種識別番号を記憶部１６に記憶しており、この金種識別番号から所定の順番で番号を使用する。勿論、一度使用した金種識別番号を二度使用することはない。
【００８６】
さらに、制御部１５は、出金可と判断することによりＩＣチップ１に新たな金種識別番号が書き込まれた上記の金券Ｓに、ＩＣチップ１に記憶した新たな金券識別番号と同一の金券識別番号を、この金券識別番号に対応して記憶部１６に記憶されている天地方向の判別と更新後の使用状況識別番号に含まれる再利用回数とに基づく所定の位置に、出金印刷部４９によって視認可能に印刷する。つまり、再利用一回且つ発行済み且つ使用済み未確定を示す使用状況識別番号が上書きされた金券Ｓについては、裏面の表記部３に、図３（ａ）に示すように、上記した金券収納モードによって再利用マーク５が近接して印刷された金券識別番号４が、表記部３の上段に一つのみ印刷されているため、新たな金券識別番号４を、このすでに印刷されている金券識別番号４とは異なる所定の位置である表記部３の中段に図３（ｂ）に示すように印刷する。また、再利用二回且つ発行済み且つ使用済み未確定を示す使用状況識別番号が上書きされた金券Ｓについては、図３（ｃ）に示すように、上記した金券収納モードによって再利用マーク５が近接して印刷されていた金券識別番号４が、表記部３の上段および中段に二つ印刷されているため、新たな金券識別番号を、これらのすでに印刷されている金券識別番号とは異なる所定の位置である表記部３の下段に図３（ｄ）に示すように印刷する。以上により、市場においては、再利用マーク５が近接して印刷されていない金券識別番号４が、新しい適正な金券識別番号４（図３（ｂ）における中段の金券識別番号４、図３（ｄ）における下段の金券識別番号４）であって、再利用マーク５が近接して印刷されている金券識別番号４（図３（ｂ）における上段の金券識別番号４、図３（ｄ）における上段および中段の金券識別番号４）は、古く適正でない金券識別番号であると識別できる。なお、上記においてはＲＦＩＤリーダライタ４６による更新後の使用状況識別番号に基づいて印刷位置を割り出すようにしたが、勿論、更新前の使用状況識別番号に基づいて印刷位置を割り出すことも可能である。
【００８７】
制御部１５は、上記を繰り返して、新たな金券識別番号がＩＣチップ１に書き込まれるとともに裏面の所定位置に印字された金券Ｓを、発行枚数分だけ出金部５０に繰り出す。
【００８８】
そして、制御部１５は、入力された額面毎の発行枚数を出金部５０に繰り出させると、繰り出しを終了して、金券再利用モードによる今回の処理を他の処理と識別する、モードの識別を含む処理識別番号と、今回の処理で識別したユーザ識別番号と、今回の金券再利用モードによって出金部５０に出金されたすべての金券Ｓの古い金券識別番号および新たな金券識別番号と、今回の処理で出金部５０に出金されたすべての金券Ｓの金種別の計数値とを関連付けして出金情報として記憶部１６に記憶する。
【００８９】
制御部１５は、記憶部１６に記憶した出金情報を通信部１８を用いて発行元の管理サーバ１７に、金券処理装置１１の個別の装置識別番号と関連付けして送信することになり、この管理サーバ１７において、送信された出金情報を上記した金券発行モードと同様に管理する。勿論、管理サーバ１７は、古い金券識別番号に加えて、新たな金券識別番号についても同様に管理する。
【００９０】
「金券回収モード」
金券回収モードが選択設定された場合、制御部１５は、スタート操作を促す表示を表示部１４に表示させる。これを見てユーザが操作部１３にスタート操作を行う。操作部１３にスタート操作が入力されると、制御部１５は、発行済み且つ再利用不可な再利用不可券が収納された出金収納部３６ｊ〜３６ｏの出金繰出機構４０および出金搬送路４１を駆動する。すると、出金収納部３６ｊ〜３６ｏの出金繰出機構４０が金券Ｓを一枚ずつ繰り出し、出金搬送路４１が搬送する。出金搬送路４１による搬送中に金券Ｓを出金識別部４４で識別する。この出金識別部４４の識別結果から、制御部１５は、出金不可と判定した主として斜行の金券Ｓを、出金搬送路４１および出金搬送路４１から分岐する出金リジェクト搬送路４７を介して出金リジェクト庫４８に収納する。このとき、金券回収モードで出金するのが適正である金券収納モードで入金された金券Ｓ、以外の金券Ｓも出金不可として出金リジェクト庫４８に収納する。
【００９１】
そして、制御部１５は、出金識別部４４で出金可と識別された金券Ｓについては、対応する金種の計数値を加算し、出金識別部４４で識別された金種および金券識別番号を記憶部１６に記憶するとともに、出金部５０に送り出す。これにより、再利用不可な使用済みの金券Ｓを計数しつつ出金することができる。
【００９２】
制御部１５は、出金収納部３６ｊ〜３６ｏのすべての金券Ｓを繰り出させると、繰り出しを終了して、金券回収モードによる今回の処理を他の処理と識別する、モードの識別を含む処理識別番号と、今回の処理で識別したユーザ識別番号と、今回の金券回収モードによって出金部５０に出金されたすべての金券Ｓの金券識別番号と、今回の処理で出金部５０に出金されたすべての金券Ｓの金種別の計数値とを関連付けして出金情報として記憶部１６に記憶する。
【００９３】
制御部１５は、記憶部１６に記憶した出金情報を通信部１８を用いて発行元の管理サーバ１７に、金券処理装置１１の個別の装置識別番号と関連付けして送信することになり、この管理サーバ１７において、送信された出金情報を上記した金券発行モードと同様に管理する。
【００９４】
なお、金券回収モードにおいて、出金する金券ＳのＩＣチップ１から金券識別番号を消去するようにしても良い。
また、金券回収モードにおいて、発行元を指定し、指定した発行元の再利用不可な使用済みの金券Ｓのみを出金するようにしても良い。このようにすれば、発行元への返却時に発行元毎に分類しての返却が容易となる。
【００９５】
以上に述べた本実施形態の金券処理装置１１によれば、市場に発行済みで市場から回収された金券Ｓを入金部２１に入金すると、入金識別部２４が金券Ｓを識別し、制御部１５がこの識別結果に基づいて金券Ｓが再利用可能であるか否かを判断して、再利用可能であると判断された金券Ｓを出金収納部３６ｇ〜３６ｉに収納する一方、再利用可能でないと判断された金券Ｓを出金収納部３６ｊ〜３６ｏに収納する。また、操作部１３によって出金の指定を受け付けた場合に、制御部１５が、再利用可能券を収納している出金収納部３６ｇ〜３６ｉから金券Ｓを繰り出させることになり、この金券ＳのＩＣチップ１にＲＦＩＤリーダライタ４６によって新たな金種識別番号を書き込んで、出金部５０に出金する。このように、市場に発行済みで市場から回収された金券Ｓを再利用可能な金券Ｓとそうでない金券Ｓとに分別して収納し、再利用可能な金券Ｓについては新たな金種識別番号を付与して出金することで、再利用することができる。
【００９６】
また、操作部１３によって、発行済みの金券Ｓを収納する金券収納モードが設定された場合に、制御部１５が、入金識別部２４の識別結果に基づいて金券Ｓが再利用可能であるか否かを判断するため、未発行の金券Ｓを装填する金券装填モードにおいては、必要のない、金券Ｓが再利用可能であるか否かの判断を略すことができる。
【００９７】
また、操作部１３が、ユーザを認証する認証装置１２の認証結果に基づいて選択設定可能なモードを制御するため、ユーザの職位等に応じて使用できるモードを異ならせることができる。
【００９８】
また、入金識別部２４が、金券ＳのＩＣチップ１から発行元識別番号を読み込むことになり、制御部１５が、この金券Ｓの発行元識別番号に基づいて再利用可能であるか否かを判断することになるため、発行元毎に設定される再利用可能であるか否かの情報を発行元識別番号から容易且つ確実に判断することができる。
【００９９】
また、入金識別部２４が、金券ＳのＩＣチップ１から再利用回数を特定する使用状況識別番号を読み込むことになり、制御部１５が、この金券Ｓの再利用回数を特定する使用状況識別番号に基づいて再利用可能であるか否かを判断することになり、上記のように再利用回数に制限を設けて制限回数内であれば再利用可能とし、制限回数となれば再利用不可とすることになるため、新品に近い金券Ｓのみを再利用することができる。
【０１００】
また、入金識別部２４が、画像検出装置２５によって金券Ｓの画像を撮像することになり、制御部１５が、この撮像された金券Ｓの画像に基づいて再利用可能であるか否かを判断することになり、汚損のある金券Ｓを再利用不可とすることになるため、新品に近い金券Ｓのみを再利用することができる。
【０１０１】
また、制御部１５によって再利用可能であると判断された金券Ｓに対して、入金印刷部２７が、当該金券Ｓの再利用状況を識別するための再利用マーク５を視認可能に印刷するため、再利用されて出金された金券Ｓであることを容易に認識することができる。
【０１０２】
また、入金識別部２４によって撮像された画像から制御部１５が金券Ｓの天地方向を判別することになり、制御部１５によって再利用可能であると判断された金券Ｓに、天地方向の判別結果に基づいて、入金印刷部２７が当該金券Ｓの再利用状況を識別するための再利用マーク５を視認可能に印刷するため、再利用マーク５を適正な向きで金券Ｓに印刷することができる。
【０１０３】
また、操作部１３によって、発行済み且つ再利用可能な金券Ｓを発行する金券再利用モードが設定された場合に、制御部１５が、出金収納部３６ｇ〜３６ｉから繰り出された金券ＳのＩＣチップ１に新たな金券識別番号を書き込むため、未発行の金券Ｓを発行する金券発行モードおよび使用済みの金券Ｓを回収する金券回収モードにおいては、必要のない、新たな金券識別番号を書き込みを略すことができる。
【０１０４】
また、制御部１５によってＩＣチップ１に新たな金券識別番号が書き込まれた金券Ｓに対して、出金印刷部４９が、当該金券Ｓの新たな金券識別番号と同一の金券識別番号４を視認可能に印刷するため、再利用されて出金された金券Ｓの新たな金券識別番号４を容易に認識することができる。
【０１０５】
また、制御部１５が、入金識別部２４の画像検出装置２５によって撮像された画像から金券Ｓの天地方向を判別するとともに、入金識別部２４のＲＦＩＤリーダ２６によって識別された金券Ｓの金券識別番号とこの天地方向とを関連付けて記憶部１６に記憶する。出金時に出金収納部３６ｇ〜３６ｉから繰り出された金券ＳのＩＣチップ１からＲＦＩＤリーダライタ４６が金券識別番号および再利用回数を特定する使用状況識別番号を読み込むと、出金印刷部４９が、ＲＦＩＤリーダライタ４６によって読み込まれた金券識別番号に対応する天地方向を記憶部１６から読み出すとともに、制御部１５によって金券ＳのＩＣチップ１に書き込む新たな金券識別番号と同一の金券識別番号４を、当該金券Ｓにおける読み出された天地方向とＲＦＩＤリーダライタ４６によって読み込まれた再利用回数とに基づく所定の印刷位置に天地方向を合わせて印刷する。よって、新たな金券識別番号４を金券Ｓの適正な位置に適正な向きで印刷することができる。
【０１０６】
また、上述した金券処理装置１１が複数台設けられ、これらの金券処理装置１１を共通の管理サーバ１７に接続した管理システムを実現することにより、新品の金券Ｓの装填、新品の金券Ｓの発行、発行済み金券Ｓの収納、発行済み金券Ｓを再利用した発行、発行済み金券Ｓの回収を一括して管理することができる。
【０１０７】
なお、以上においては、金券Ｓを、その発行元を識別することで再利用可能か否かを判断するようにした。これは、金券Ｓの再利用可能か否かの設定は、基本的に発行元によって決められるものであるからである。しかしながら、同一発行元であっても、金種（額面）によって再利用可能か否かの設定が異なる場合には、発行元および金種を識別することで再利用可能か否かを判断するようにすれば良い。勿論、再利用可能な金券Ｓの金券識別番号を記憶部１６に記憶しておき、この記憶部１６に記憶されている金券識別番号と同じ金券識別番号を有する金券Ｓについてはこれを再利用可能と判断し、記憶部１６に記憶されている金券識別番号と同じ金券識別番号をもたない金券Ｓについては、これを再利用不可と判断するようにしても良い。この場合、管理サーバ１７から再利用可能な金券Ｓの金券識別番号を受信して記憶部１６に記憶するようにしても良い。
【図面の簡単な説明】
【０１０８】
【図１】本発明の一実施形態の金券処理装置を概略的に示す構成図である。
【図２】本発明の一実施形態の金券処理装置で処理される金券の裏面の図である。
【図３】本発明の一実施形態の金券処理装置で処理される金券の印刷状態を順に示す表記部の図である。
【符号の説明】
【０１０９】
１  ＩＣチップ
４  金券識別番号（識別番号）
５  再利用マーク（再利用状況情報）
１１  金券処理装置
１２  認証装置（認証手段）
１３  操作部（指定手段，入金モード設定手段，出金モード設定手段）
１５  制御部（判断手段，出金制御手段，書込制御手段，入金モード設定手段，出金モード設定手段，天地判別手段）
１６  記憶部（記憶手段）
２１  入金部
２４  入金識別部（識別部）
２６  入金印刷部（再利用状況情報印刷手段）
２８  入金リジェクト口（入金リジェクト部）
３６ｇ〜３６ｉ  出金収納部（再利用可能券収納部）
３６ｊ〜３６ｏ  出金収納部（再利用不可券収納部）
４６  ＲＦＩＤリーダライタ（書込制御手段，読込手段）
４９  出金印刷部（識別番号印刷手段）
５０  出金部
Ｓ  金券
【図１】
0005033551.tif 000002
【図２】
0005033551.tif 000003
【図３】
0005033551.tif 000004